【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
少なくとも１つの二相交流非同期モータ（Ｋ１，Ｋ２）を含む冷却ユニット圧縮機用のコントローラであって、
８５Ｖ〜２６４Ｖの交流主電源電圧を公称とする電源網に接続されるための主電源接続手段（１０）と、
前記主電源接続手段の下流側に接続されており、前記交流主電源電圧から中間電圧を生成するように機能する、第１の電圧変換手段（１４）と、
前記第１の電圧変換手段の下流側に接続されており、前記交流主電源電圧のレベル及び主電源周波数に依存せずに且つ予め定められることが可能な複数の相異なる電圧レベルのうちのある交流電圧で前記冷却ユニット圧縮機を制御するように機能する出力信号を生成するように機能する、第２の電圧変換手段（１６−１，１６−２）と、
前記主電源接続手段に対応付けられており、前記交流主電源電圧を検出するように機能する電圧検出手段（１２）であって、当該電圧検出手段（１２）の検出手段出力信号が、前記第２の電圧変換手段、又は前記第２の電圧変換手段に対応付けられた制御手段（２４）によって、前記主電源電圧に依存する最大値であって、前記出力信号の電流の最大値を生成するために評価されることが可能である、電圧検出手段（１２）と、
を備える、コントローラ。
【請求項２】
請求項１に記載のコントローラにおいて、前記冷却ユニット圧縮機を含む冷却ユニットの冷却対象空間に対応付けられることが可能な温度センサ手段により検出された温度（Ｔ１）が閾値よりも大きい場合に、動作モード手段（２４）が、前記出力信号を生成する前記第２の電圧変換手段を、電流の前記最大値に相当する最大電流を上限として、第１の交流出力電圧レベルで動作させるように、かつ、検出された温度が前記閾値以下である場合に、前記動作モード手段が、前記出力信号を生成する前記第２の電圧変換手段を、前記第１の交流出力電圧レベルよりも低い第２の交流出力電圧レベルで動作させるように、前記第２の電圧変換手段に、前記温度センサ手段（２６）及び前記動作モード手段（２４）が対応付けられていることを特徴とする、コントローラ。
【請求項３】
請求項２に記載のコントローラにおいて、前記第１の交流出力電圧レベルに対する前記第２の交流出力電圧レベルの比が、０．８未満であることを特徴とする、コントローラ。
【請求項４】
請求項２または３に記載のコントローラにおいて、冷却ユニット圧縮機の第１および第２の交流非同期モータに対する前記出力信号を生成する前記第２の電圧変換手段は、冷却モードにおいて、前記温度が高い方の第１の温度閾値以下になるまで前記出力信号が前記第１の交流非同期モータに対してのみ生成及び出力されるように、かつ、前記温度が前記第１の温度閾値以下になると前記第２の交流非同期モータに対して前記出力信号が生成及び出力されるように構成されていることを特徴とする、コントローラ。
【請求項５】
請求項１から４のいずれか一項に記載のコントローラにおいて、前記第２の電圧変換手段は、前記電圧検出手段の前記検出手段出力信号に応答し、当該検出手段出力信号の値であって、引き込まれた電流に相当する値が前記最大電流値を超えた場合には、接続された前記冷却ユニット圧縮機への前記出力信号を用いた供給が停止されるように構成されていることを特徴とする、コントローラ。
【請求項６】
請求項１から５のいずれか一項に記載のコントローラにおいて、前記第１および第２の電圧変換手段が、接続されたユニット圧縮機の速度を制御するものではなく、かつ／あるいは、接続された当該ユニット圧縮機の速度に相当する又は依存する信号を受け取るものではないことを特徴とする、コントローラ。
【請求項７】
請求項１から６のいずれか一項に記載のコントローラにおいて、前記第１の電圧変換手段が、力率改善（ＰＦＣ）を実現することを特徴とする、コントローラ。
【請求項８】
請求項１から７のいずれか一項に記載のコントローラにおいて、前記第２の電圧変換手段に接続された又は接続可能な交流非同期モータが、追加のセンサライン及び／又は制御ラインがない二相で接続されるか又は接続可能であり、かつ、補助相を生成する手段を有していることを特徴とする、コントローラ。
【請求項９】
請求項１から８のいずれか一項に記載のコントローラと、
２つの交流非同期モータを含む前記冷却ユニット圧縮機と、
を備える、冷却ユニット圧縮機システムであって、
前記第２の電圧変換手段は、検出された冷却温度が閾値よりも大きい場合には第１の前記交流非同期モータが始動および／または開始動作のために制御されるように、かつ、前記温度が前記閾値を下回った後でのみ第２の前記交流非同期モータが制御されるように構成されており、
前記第２の電圧変換手段は、前記交流非同期モータを制御する前記出力信号の電圧を低下させる、システム。
【請求項１０】
請求項１から８のいずれか一項に記載のコントローラと、請求項９に記載のシステムとのいずれか一方または両方の使用方法であって、−５０℃未満である冷却対象空間の目標冷却温度で動作されることが可能な冷却ユニットを実現するための使用方法。
【手続補正２】
【補正対象書類名】明細書
【補正対象項目名】００３２
【補正方法】変更
【補正の内容】
【００３２】
本発明は、図示の実施形態やそこで挙げられているパラメータに限定されない。温度範囲や電圧範囲はいずれもほぼ自由に変えることができる。また、交流非同期モータがそれぞれ対応付けられた２つの冷却回路がカスケード連結されてなるシステムが有利であるものの、本発明はこの構成に限定されない。さらに、本発明は、極低温域（典型的には−５０℃未満、より好ましくは−７０℃未満）用の冷却ユニットを実現するのに適しているが、これにかかわらず、本発明に係るコントローラは他の用途にも使用されてよい。
なお、本発明は、態様として以下の内容を含む。
〔態様１〕
少なくとも１つの二相交流非同期モータ（Ｋ１，Ｋ２）を含む冷却ユニット圧縮機用のコントローラであって、
８５Ｖ〜２６４Ｖ、特には１００Ｖ〜２３０Ｖの交流主電源電圧を公称とする電源網、好ましくは公共の電源網に接続されるための主電源接続手段（１０）と、
前記主電源接続手段の下流側に接続されており、前記交流主電源電圧から中間電圧、特には直流中間電圧を生成するように機能する、第１の電圧変換手段（１４）と、
前記第１の電圧変換手段の下流側に接続されており、前記交流主電源電圧のレベル及び主電源周波数に依存せずに且つ予め定められることが可能な複数の相異なる電圧レベルのうちのある交流電圧で前記冷却ユニット圧縮機を制御するように機能する出力信号、特には経時的に電圧一定および／または周波数一定の出力信号を生成するように機能する、第２の電圧変換手段（１６−１，１６−２）と、
前記主電源接続手段に対応付けられており、前記交流主電源電圧を検出するように機能する電圧検出手段（１２）であって、当該電圧検出手段（１２）の検出手段出力信号が、前記第２の電圧変換手段、又は前記第２の電圧変換手段に対応付けられた制御手段（２４）によって、前記主電源電圧に依存する最大値であって、前記出力信号の電流の最大値を生成するために評価されることが可能である、電圧検出手段（１２）と、
を備える、コントローラ。
〔態様２〕
態様１に記載のコントローラにおいて、前記冷却ユニット圧縮機を含む冷却ユニットの冷却対象空間に対応付けられることが可能な温度センサ手段により検出された温度（Ｔ１）が閾値よりも大きい場合に、動作モード手段（２４）が、前記出力信号を生成する前記第２の電圧変換手段を、電流の前記最大値に相当する最大電流を上限として、第１の交流出力電圧レベル、好ましくは一定の第１の交流出力電圧レベルで動作させるように、かつ、検出された温度が前記閾値以下である場合に、前記動作モード手段が、前記出力信号を生成する前記第２の電圧変換手段を、前記第１の交流出力電圧レベルよりも低い第２の交流出力電圧レベル、好ましくは一定の第２の交流出力電圧レベルで動作させるように、前記第２の電圧変換手段に、前記温度センサ手段（２６）及び前記動作モード手段（２４）が対応付けられていることを特徴とする、コントローラ。
〔態様３〕
態様２に記載のコントローラにおいて、前記第１の交流出力電圧レベルに対する前記第２の交流出力電圧レベルの比が、０．８未満、好ましくは０．６〜０．７５の範囲内であることを特徴とする、コントローラ。
〔態様４〕
態様２または３に記載のコントローラにおいて、冷却ユニット圧縮機の第１および第２の交流非同期モータに対する前記出力信号を生成する前記第２の電圧変換手段は、冷却モードにおいて、前記温度が高い方の第１の温度閾値以下になるまで前記出力信号が前記第１の交流非同期モータに対してのみ生成及び出力されるように、かつ、前記温度が前記第１の温度閾値以下になると前記第２の交流非同期モータに対して前記出力信号が生成及び出力されるように構成されていることを特徴とする、コントローラ。
〔態様５〕
態様１から４のいずれか一態様に記載のコントローラにおいて、前記第２の電圧変換手段は、前記電圧検出手段の前記検出手段出力信号に応答し、当該検出手段出力信号の値であって、引き込まれた電流に相当する値が前記最大電流値を超えた場合には、接続された前記冷媒圧縮機への前記出力信号を用いた供給が停止されるように構成されていることを特徴とする、コントローラ。
〔態様６〕
態様１から５のいずれか一態様に記載のコントローラにおいて、前記第１および第２の電圧変換手段が、接続されたユニット圧縮機の速度を制御するものではなく、かつ／ある 
いは、接続された当該ユニット圧縮機の速度に相当する又は依存する信号を受け取るものではないことを特徴とする、コントローラ。
〔態様７〕
態様１から６のいずれか一態様に記載のコントローラにおいて、前記第１の電圧変換手段が、力率改善（ＰＦＣ）、特にはアクティブ力率改善を実現することを特徴とする、コントローラ。
〔態様８〕
態様１から７のいずれか一態様に記載のコントローラにおいて、前記第２の電圧変換手段に接続された又は接続可能な交流非同期モータが、追加のセンサライン及び／又は制御ラインがない二相で接続されるか又は接続可能であり、かつ、補助相を生成する手段、特にはキャパシタ、あるいは、補助相を生成する電子的な手段を有していることを特徴とする、コントローラ。
〔態様９〕
態様１から８のいずれか一態様に記載のコントローラと、
２つの交流非同期モータを含む前記冷却ユニット圧縮機と、
を備える、冷却ユニット圧縮機システムであって、
前記第２の電圧変換手段は、検出された冷却温度が閾値よりも大きい場合には第１の前記交流非同期モータが始動および／または開始動作のために制御されるように、かつ、前記温度が前記閾値を下回った後でのみ第２の前記交流非同期モータが制御されるように構成されており、
前記第２の電圧変換手段は、好ましくは目標の冷却温度が検出されると、前記交流非同期モータを制御する前記出力信号の電圧を低下させる、システム。
〔態様１０〕
態様１から８のいずれか一態様に記載のコントローラと、態様９に記載のシステムとのいずれか一方または両方の使用方法であって、−５０℃未満、好ましくは−６０℃未満、より好ましくは−７５℃未満である冷却対象空間の目標冷却温度で動作されることが可能な冷却ユニットを実現するための使用方法。